(57)【要約】【課題】リモート照明装置の状況を把握可能なリモート照明制御装置を提供する。【解決手段】本発明のリモート照明制御装置は、撮影装置１０とは離れた場所から被写体に向かって撮影用照明光を照射するリモート照明装置２０Ｒに対して、該撮影用照明光の発光を指示する発光指示部２１Ｍと、前記発光指示部２１Ｍからの前記指示に従って前記撮影用照明光が発光した場合に、該発光の影響を受けて前記リモート照明装置２０Ｒにおいて変動を生じる物理量情報を獲得する情報獲得部２５Ｍと、前記情報獲得部２５Ｍで獲得した前記物理量情報を表示する表示部２７，１６と、を備えることを特徴とする。【選択図】図１
2010261993.tif 000002
【特許請求の範囲】
【請求項１】
撮影装置とは離れた場所から被写体に向かって撮影用照明光を照射するリモート照明装置に対して、該撮影用照明光の発光を指示する発光指示部と、
前記発光指示部からの前記指示に従って前記撮影用照明光が発光した場合に、該発光の影響を受けて前記リモート照明装置において変動を生じる物理量情報を獲得する情報獲得部と、
前記情報獲得部で獲得した前記物理量情報を表示する表示部と、を備えることを特徴とするリモート照明制御装置。
【請求項２】
請求項１に記載のリモート照明制御装置であって、
前記発光指示部から前記リモート照明装置に送信した前記指令の内容に基づいて、前記物理量情報を推定演算する演算部を備えること、
を特徴とするリモート照明制御装置。
【請求項３】
請求項２に記載のリモート照明制御装置であって、
前記演算部での前記物理量情報の前記推定演算時に用いられる、前記物理量情報の推定に関わる情報を、前記リモート照明装置の種類毎に記憶する記憶部を備えること、
を特徴とするリモート照明制御装置。
【請求項４】
請求項３に記載の表示装置であって、
前記リモート照明装置から送信される該リモート照明装置の固有情報を受信する受信部を備え、
前記演算部は、前記記憶部に記憶された情報のうちの、前記受信部で受信された前記固有情報に対応した情報に基づいて、前記物理量情報を推定演算すること、
を特徴とするリモート照明制御装置。
【請求項５】
請求項１に記載のリモート照明制御装置であって、
前記リモート照明装置から送信される前記物理量情報を受信する受信部を備え、
前記表示部は、前記受信部で受信した前記物理量情報を表示すること、
を特徴とするリモート照明制御装置。
【請求項６】
請求項１から５のいずれか1項に記載のリモート照明制御装置であって、
前記物理量情報が予め設定された閾値を超えた場合、前記表示部に警告表示を行うこと、
を特徴とするリモート照明制御装置。
【請求項７】
請求項１から６のいずれか１項に記載のリモート照明制御装置であって、
前記物理量情報は、前記リモート照明装置の電池残量を含むこと、
を特徴とするリモート照明制御装置。
【請求項８】
請求項１から７のいずれか1項に記載のリモート照明制御装置であって、
前記物理量情報は、前記リモート照明装置の温度を含むこと、
を特徴とするリモート照明制御装置。
【請求項９】
請求項１から８のいずれか１項に記載のリモート照明制御装置であって、
該リモート照明制御装置は、前記被写体に対して照明光を照射可能な照明部を備えるマスター照明装置であることを特徴とするリモート照明制御装置。
【請求項１０】
請求項１から８のいずれか１項に記載のリモート照明制御装置であって、
該リモート照明制御装置は、前記被写体に対して照明光を照射可能な照明部を内蔵したカメラであることを特徴とするリモート照明制御装置。
【請求項１１】
請求項１から８のいずれか１項に記載のリモート照明制御装置であって、
該リモート照明制御装置は、前記被写体に対して照明光を照射可能な照明部を備えたマスター照明装置を着脱可能なカメラであることを特徴とするリモート照明制御装置。
【請求項１２】
請求項１０または１１に記載のリモート照明制御装置であって、
撮影レンズと、該撮影レンズを通過する光量を調節する絞り部材とを備え、
前記リモート照明装置の温度が予め設定された閾値を超えた場合、
前記絞り部材は、前記撮影レンズを通過する光量が多くなるようにすること、
を特徴とするリモート照明制御装置。
【請求項１３】
請求項１０から１２のいずれか１項に記載のリモート照明制御装置であって、
撮像部と該撮像部の感度を変更する感度設定部とを備え、
前記リモート照明装置の温度が予め設定された閾値を超えた場合、
前記感度設定部は、前記撮像部の感度を上げること、
を特徴とするリモート照明制御装置。
【請求項１４】
請求項１から１３のいずれか１項に記載のリモート照明制御装置であって、
前記照明光の光源を照射光軸方向に移動可能な前記リモート照明装置に対して、該光源の移動を制御するための制御信号を送信する送信部を備え、
前記リモート照明装置の温度が予め設定された閾値を超えた場合、
前記送信部は、前記リモート照明装置の前記光源の位置を配光角が狭くなる側に移動させるための制御信号を、前記リモート照明装置に送信すること、
を特徴とするリモート照明制御装置。
【請求項１５】
撮影用照明光を発光するリモート聡明装置であって、
前記リモート照明装置から離間した位置のリモート照明制御装置から発せられた、前記撮影用照明光を発光させるための発光指令を受信する受信部と、
自己の固有情報を、前記リモート照明制御装置に送信可能な送信部と、
を備えること、
を特徴とするリモート照明装置。
【請求項１６】
請求項１５に記載のリモート照明装置であって、
前記固有情報の送信は、前記リモート照明制御装置からの指令に応じて行うテスト発光の際に、該テスト発光の一部として行うこと、
を特徴とするリモート照明装置。
【請求項１７】
請求項１５又は１６に記載のリモート照明装置において、
前記送信部は、前記固有情報として、前記発光指令に従って前記撮影用照明光が発光した場合に、該発光の影響を受けて前記リモート照明装置において変動を生じる物理量情報を送信することを特徴とするリモート照明装置。
【請求項１８】
撮影装置とは離れた場所から被写体に向かって撮影用照明光を照射するリモート照明装置と、
前記リモート照明装置から離間した位置から、前記リモート照明装置に前記撮影用照明光を発光させるための発光指令を発するリモート照明制御装置と、
前記リモート照明制御装置と一体的に配置され、且つ前記発光指令に従って前記リモート照明装置が前記撮影用照明光を発光した場合に、該発光の影響を受けて前記リモート照明装置において変動を生じる物理量情報を表示する表示装置と、
を備えることを特徴とするリモート照明装置システム。
【発明の詳細な説明】
【技術分野】
【０００１】
本発明は、リモート照明制御装置、リモート照明装置及びリモート照明装置システムに関する。
【背景技術】
【０００２】
写真撮影を行う際に、撮影用照明装置が使用される場合があり、高速連写撮影が行われると、照明装置も連続発光することになる。この場合、照明装置の昇圧回路や発光部（特にフレネルレンズ）が発熱し、ユーザーに不快感を与えてしまうだけではなく、部品の変形や破壊まで発展してしまう可能性がある。
従来、照明装置の発光部及びその周辺部の過熱を防止するため、発光部等の温度が上昇した場合、照明光量を低減させるものがある（特許文献１参照）。この従来技術において発光光量を低減する場合、照明装置の液晶画面に低減動作が行われたことが表示される。
【先行技術文献】
【特許文献】
【０００３】
【特許文献１】特開２００５−１５６７９３号公報
【発明の概要】
【発明が解決しようとする課題】
【０００４】
しかし、撮影時のライティング効果を向上させるため、数グループまたは数灯の照明装置を用いて多灯撮影を行う場合がある。この際、リモート照明装置は撮影者から離れた位置に配置されるため、リモート照明装置の発熱状況や低減動作が行われたか否かを撮影者が把握することができない。
【０００５】
本発明は、リモート照明装置の状況を把握可能なリモート照明制御装置、リモート照明装置及びリモート照明装置システムを提供することを目的とする。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮影装置（１０）とは離れた場所から被写体に向かって撮影用照明光を照射するリモート照明装置（２０Ｒ）に対して、該撮影用照明光の発光を指示する発光指示部（２１Ｍ）と、前記発光指示部（２１Ｍ）からの前記指示に従って前記撮影用照明光が発光した場合に、該発光の影響を受けて前記リモート照明装置（２０Ｒ）において変動を生じる物理量情報を獲得する情報獲得部（２５Ｍ）と、前記情報獲得部（２５Ｍ）で獲得した前記物理量情報を表示する表示部（２７，１６）と、を備えることを特徴とするリモート照明制御装置（２０Ｍ，１０）である。
請求項２に記載の発明は、請求項１に記載のリモート照明制御装置（２０Ｍ，１０）であって、前記発光指示部（２１Ｍ）から前記リモート照明装置（２０Ｒ）に送信した前記指令の内容に基づいて、前記物理量情報を推定演算する演算部（２３Ｍ，１３）を備えること、を特徴とするリモート照明制御装置（２０Ｍ，１０）である。
請求項３に記載の発明は、請求項２に記載のリモート照明制御装置（２０Ｍ，１０）であって、前記演算部（２３Ｍ，１３）での前記物理量情報の前記推定演算時に用いられる、前記物理量情報の推定に関わる情報を、前記リモート照明装置（２０Ｒ）の種類毎に記憶する記憶部（２４Ｍ，１４）を備えること、を特徴とするリモート照明制御装置（２０Ｍ，１０）である。
請求項４に記載の発明は、請求項３に記載のリモート照明制御装置（２０Ｍ，１０）であって、前記リモート照明装置（２０Ｒ）から送信される該リモート照明装置（２０Ｒ）の固有情報を受信する受信部（２５Ｍ）を備え、前記演算部（２３Ｍ，１３）は、前記記憶部（２４Ｍ，１４）に記憶された情報のうちの、前記受信部（２５Ｍ）で受信された前記固有情報に対応した情報に基づいて、前記物理量情報を推定演算すること、を特徴とするリモート照明制御装置（２０Ｍ，１０）である。
請求項５に記載の発明は、請求項１に記載のリモート照明制御装置（２０Ｍ，１０）であって、前記リモート照明装置（２０Ｒ）から送信される前記物理量情報を受信する受信部（２５Ｍ）を備え、前記表示部（２７，１６）は、前記受信部（２５Ｍ）で受信した前記物理量情報を表示すること、を特徴とするリモート照明制御装置（２０Ｍ，１０）である。
請求項６に記載の発明は、請求項１から５のいずれか１項に記載のリモート照明制御装置（２０Ｍ，１０）であって、前記物理量情報が予め設定された閾値を超えた場合、前記表示部（２７，１６）に警告表示を行うこと、を特徴とするリモート照明制御装置（２０Ｍ，１０）である。
請求項７に記載の発明は、請求項１から６のいずれか１項に記載のリモート照明制御装置（２０Ｍ，１０）であって、前記物理量情報は、前記リモート照明装置（２０Ｒ）の電池残量を含むこと、を特徴とするリモート照明制御装置（２０Ｍ，１０）である。
請求項８に記載の発明は、請求項１から７のいずれか１項に記載のリモート照明制御装置（２０Ｍ，１０）であって、前記物理量情報は、前記リモート照明装置（２０Ｒ）の温度を含むこと、を特徴とするリモート照明制御装置（２０Ｍ，１０）である。
請求項９に記載の発明は、請求項１から８のいずれか１項に記載のリモート照明制御装置（２０Ｍ）であって、該リモート照明制御装置（２０Ｍ）は、前記被写体に対して照明光を照射可能な照明部（２１Ｍ）を備えるマスター照明装置（２０Ｍ）であることを特徴とするリモート照明制御装置（２０Ｍ）である。
請求項１０に記載の発明は、請求項１から８のいずれか１項に記載のリモート照明制御装置（１０）であって、  該リモート照明制御装置（１０）は、前記被写体に対して照明光を照射可能な照明部（２１Ｍ）を内蔵したカメラ（１０）であることを特徴とするリモート照明制御装置（１０）である。
請求項１１に記載の発明は、請求項１から８のいずれか１項に記載のリモート照明制御装置（１０）であって、該リモート照明制御装置（１０）は、前記被写体に対して照明光を照射可能な照明部（２１Ｍ）を備えたマスター照明装置（２０Ｍ）を着脱可能なカメラ（１０）であることを特徴とするリモート照明制御装置（１０）である。
請求項１２に記載の発明は、請求項１０または１１に記載のリモート照明制御装置（１０）であって、撮影レンズ（１１）と、該撮影レンズ（１１）を通過する光量を調節する絞り部材（１１Ａ）とを備え、前記リモート照明装置（２０Ｒ）の温度が予め設定された閾値を超えた場合、前記絞り部材（１１Ａ）は、前記撮影レンズ（１１）を通過する光量が多くなるようにすること、を特徴とするリモート照明制御装置（１０）である。
請求項１３に記載の発明は、請求項１０から１２のいずれか１項に記載のリモート照明制御装置（１０）であって、撮像部と該撮像部の感度を変更する感度設定部（１２Ａ）とを備え、前記リモート照明装置（２０Ｒ）の温度が予め設定された閾値を超えた場合、前記感度設定部（１２Ａ）は、前記撮像部の感度を上げること、を特徴とするリモート照明制御装置（１０）である。
請求項１４に記載の発明は、請求項１から１３のいずれか１項に記載のリモート照明制御装置（２０Ｍ，１０）であって、前記照明光の光源を照射光軸方向に移動可能な前記リモート照明装置（２０Ｒ）に対して、該光源の移動を制御するための制御信号を送信する送信部（２１）を備え、前記リモート照明装置（２０Ｒ）の温度が予め設定された閾値を超えた場合、前記送信部（２１）は、前記リモート照明装置（２０Ｒ）の前記光源の位置を配光角が狭くなる側に移動させるための制御信号を、前記リモート照明装置（２０Ｒ）に送信すること、を特徴とするリモート照明制御装置（２０Ｍ，１０）である。
請求項１５に記載の発明は、撮影用照明光を発光するリモート照明装置（２０Ｒ）であって、前記リモート照明装置（２０Ｒ）から離間した位置のリモート照明制御装置（２０Ｍ，１０）から発せられた、前記撮影用照明光を発光させるための発光指令を受信する受信部（２５Ｒ）と、自己の固有情報を、前記リモート照明制御装置（２０Ｍ，１０）に送信可能な送信部（２１Ｒ）と、を備えること、を特徴とするリモート照明装置（２０Ｒ）である。
請求項１６に記載の発明は、請求項１５に記載のリモート照明装置（２０Ｒ）であって、前記固有情報の送信は、前記リモート照明制御装置（２０Ｍ，１０）からの指令に応じて行うテスト発光の際に、該テスト発光の一部として行うこと、を特徴とするリモート照明装置（２０Ｒ）である。
請求項１７に記載の発明は、請求項１５又は１６に記載のリモート照明装置（２０Ｒ）において、前記送信部（２１）は、前記固有情報として、前記発光指令に従って前記撮影用照明光が発光した場合に、該発光の影響を受けて前記リモート照明装置（２０Ｒ）において変動を生じる物理量情報を送信することを特徴とするリモート照明装置（２０Ｒ）である。
請求項１８に記載の発明は、撮影装置（１０）とは離れた場所から被写体に向かって撮影用照明光を照射するリモート照明装置（２０Ｒ）と、前記リモート照明装置（２０Ｒ）から離間した位置から、前記リモート照明装置（２０Ｒ）に前記撮影用照明光を発光させるための発光指令を発するリモート照明制御装置（２０Ｍ，１０）と、前記リモート照明制御装置（２０Ｍ，１０）と一体的に配置され、且つ前記発光指令に従って前記リモート照明装置（２０Ｒ）が前記撮影用照明光を発光した場合に、該発光の影響を受けて前記リモート照明装置（２０Ｒ）において変動を生じる物理量情報を表示する表示装置（２７，１６）と、を備えることを特徴とするリモート照明装置システム（１）である。
なお、符号を付して説明した構成は、適宜改良してもよく、また、少なくとも一部を他の構成物に代替してもよい。
【発明の効果】
【０００８】
本発明によれば、リモート照明装置の状況を把握可能なリモート照明制御装置、リモート照明装置及びリモート照明装置システムを提供することができる。
【図面の簡単な説明】
【０００９】
【図１】本発明に係る撮像システム１の一実施形態の構成を示すブロック図である。
【図２】照明装置の駆動回路の構成を概念的に示す回路図である。
【図３】マスター照明装置の制御部による温度警告表示制御のフローチャートである。
【図４】マスター照明装置の表示部における温度警告表示を示す図である。
【図５】リモート照明装置の制御部による温度警告表示制御のフローチャートである。
【図６】リモート照明装置からマスター照明装置への識別情報送信の信号を例示する図である。
【図７】マスター照明装置の制御部による温度警告制御のフローチャートである。
【図８】リモート照明装置の制御部による温度警告制御のフローチャートである。
【発明を実施するための形態】
【００１０】
（第１実施形態）
以下、図面等を参照して、本発明の実施形態について説明する。
図１は、本発明に係る撮像システム１の一実施形態の構成を示すブロック図である。
撮像システム１は、カメラ１０と、カメラ１０に装着されたマスター照明装置２０Ｍと、カメラ１０から離間した位置に配置されたリモート照明装置２０Ｒとを備えている。なお、図１に示す撮像システム１は、マスター照明装置２０Ｍおよびリモート照明装置２０Ｒをそれぞれ１台ずつ備えるが、本発明はリモート照明装置２０Ｒを２台以上備える場合にも適用可能である。
【００１１】
マスター照明装置２０Ｍおよびリモート照明装置２０Ｒは、それぞれキセノン管２１Ａを用いる閃光照明装置である。カメラ１０は、マスター照明装置２０Ｍおよびリモート照明装置２０Ｒに対して発光を指令する指令装置として機能する。なお、カメラ１０が照明装置を備えている場合には、そのカメラが備える照明装置もマスター照明装置２０Ｍになり得る。
【００１２】
マスター照明装置２０Ｍは、カメラ１０からの発光指令に基づいて、被写体を照明する閃光を発光する。
リモート照明装置２０Ｒは、マスター照明装置２０Ｍを介した発光指令に基づいて、被写体を照明する閃光を発光する。このリモート照明装置２０Ｒに対する発光指令は、マスター照明装置２０Ｍの発光部から発せられる通信用の閃光によって行われる。
【００１３】
カメラ１０は、例えばデジタルスチルカメラであって、撮影レンズ１１と、撮像部１２と、制御部１３と、記憶部１４と、操作部１５と、表示部１６とを備えている。
レンズ１１は、複数の光学レンズ群から構成される撮影光学系である。図１では簡略化して１枚のレンズで表している。また、撮影レンズ１１は、開口径を変化させて入射光量を調節する絞り１１Ａを備えている。
【００１４】
撮像部１２は、詳細には図示しないが、撮影レンズ１１による結像を画像電子情報に光電変換する例えばＣＣＤやＣＭＯＳ等の撮像素子および画像処理回路等を備えている。撮像部１２は、後述する操作部１５におけるレリーズボタンの押下操作により、撮像素子がアナログ光電変換した画像信号を、画像処理回路でデジタル画像信号に変換（Ａ／Ｄ変換）および種々の画像処理を施した後、画像ファイルとしてバッファメモリに記憶する。
また、撮像部１２は、撮像素子による光電変換後の画像情報出力の増幅率（感度）を変更する感度設定部１２Ａを備えている。
【００１５】
制御部１３は、ＣＰＵ等により構成され、当該カメラ１０の動作を統括的に制御する。撮影の際には、撮像部１２が撮影した画像ファイルをバッファメモリから。図示しない着脱可能なメモリカード等の記録メディアに画像ファイルを記憶する。なお、画像ファイルは、記憶部１４に記憶するようにしてもよい。
また、制御部１３は、記憶部１４に記憶されたプログラムを読み込んで、後述する種々の処理を実行する。
【００１６】
記憶部１４は、制御部１３によるカメラ１０の制御に係る種々プログラムを格納している。
操作部１５は、レリーズボタンや電源スイッチ等、種々のスイッチやボタン類を備え、使用者によって操作され、カメラ１０の機能の選択や設定を行う。
表示部１６は、例えば液晶パネル等によって構成され、カメラ１０の背面に配設されている。表示部１６は、制御部１３からの指示に基づいて、撮影画像の再生画像やカメラ１０の機能設画面等を表示する。
【００１７】
つぎに、マスター照明装置２０Ｍとリモート照明装置２０Ｒについて、図１および図２を参照して説明する。図２は、照明装置２０の駆動回路２２の構成を概念的に示す回路図である。
なお、本実施形態では、マスター照明装置２０Ｍとリモート照明装置２０Ｒとは、同一構成である。このため、図１においては、同一要素には数字部分が同一の符号を付してある。以下の説明において、区別する必要のある場合には、符号の末尾にマスター照明装置２０Ｍにおいては「Ｍ」を、リモート照明装置２０Ｒにおいては「Ｒ」を付加する。
【００１８】
まず、マスター照明装置２０Ｍおよびリモート照明装置２０Ｒの全体構成を、照明装置２０として説明する。
照明装置２０は、発光部２１と、駆動回路２２と、制御部２３と、記憶部２４と、受光部２５と、操作部２６および表示部２７とを備えている。また、発光部２５の前面にフレネルレンズ２８を備えている。
【００１９】
発光部２１は、キセノン管２１Ａおよび反射板２１Ｂ等を備えて構成され、後述する駆動回路２２から加えられる高電圧によってキセノン管２１Ａから放電による閃光を発する。発光部２１の前面側には、フレネルレンズ２８が設けられている。
図２に示すように、駆動回路２２は、電源としての電池２２Ａと、昇圧トランス２２Ｂおよび昇圧トランジスタ２２Ｃを備える昇圧回路と、メインコンデンサ２２Ｄと、スイッチング素子２２Ｅ等を備えて構成され、制御部２３からの指令に基づくスイッチング素子２２Ｅの作用によって発光部２１（キセノン管２１Ａ）に高圧の直流電圧を印加する。
【００２０】
制御部２３は、ＣＰＵ等により構成され、当該照明装置２０の動作を統括制御する。そして、制御部２３は、発光指令を受けて、駆動回路２２を制御して発光部２１を発光させる。制御部２３は、ＴＴＬ自動調光モード、マニュアルモード等、複数の発光制御モードを備えている。
【００２１】
また、制御部２３は、発光に起因する昇温推測および温度警告制御を行う。すなわち、発光に起因する発光部２１（フレネルレンズ２８を含む）および駆動回路２２の昇温を推測して、推測された温度を予め設定された閾値と比較し、推測値が設定閾値を超える場合には、表示部２７に温度警告表示を行う。この昇温推測および温度警告制御については後に詳述する。
【００２２】
さらに、制御部２３は、光通信の機能を有している。すなわち、制御部２３は、発光部２１をパルス発光させて、当該照明装置の固有情報、設定状態、発光経歴等の情報の光信号を送信できるようになっている。また、制御部２３は、受光部２５による光信号の受光によって、送信情報を受信できるようになっている。
【００２３】
記憶部２４は、昇温推測および温度警告制御に関するプログラムおよびそれに必要な情報を含む、当該照明装置２０の発光作動全般を制御する情報を格納している。
受光部２５は、他の照明装置等からの光を感知（受光）して、その感知情報を制御部２３に入力する。
【００２４】
操作部２６は、電源スイッチや種々の操作ボタンを備え、使用者によって操作されて、照明装置２０の機能の選択や設定の入力を行う。
表示部２７は、例えば液晶パネル等によって構成され、照明装置２０の背面に配設されている。表示部２７は、制御部２３からの指示に基づいて、操作メニューや発光モード等の機能設画面等を表示する。また、温度警告制御による温度警告表示を行う。
【００２５】
上記のように構成された照明装置２０は、たとえばカメラのアクセサリーシューに装着されてホットシューを介して電気的に接続され（本実施形態におけるマスター照明装置２０Ｍ）、または、カメラから離間した位置に配設（リモート照明装置２０Ｒ）される。そして、装着されたカメラからホットシューを介して送られる制御信号、または光通信によって送られる制御信号に基づいて、制御部２３が駆動回路２２を制御して発光部２１を発光させる。
また、照明装置２０は、制御部２３が、発光によって温度上昇する部位（発光部２１，フレネルレンズ２８，駆動回路２２）の昇温推測を行うと共に、表示部２７に温度警告表示を行う。
【００２６】
ここで、制御部２３による昇温推測について詳細に説明する。
まず、駆動回路２２（昇圧トランス２２Ｂおよび昇圧トランジスタ２２Ｃ）の温度上昇は、
Ｔａ：周囲環境温度
Ｔｎ：対象部品のｎ回目昇圧動作後の温度
Ｔ（ｎ−１）ｄ：対象部品の（ｎ−１）回目の昇圧動作後の温度Ｔ（ｎ−１）から次回昇圧動作までの放熱後の温度
Ｔｎｒ：対象部品のｎ回目の昇圧動作による温度上昇
ｔ：発光間隔
として、
【数１】
2010261993.tif 000003
のように計算でき、一般式では、
【数２】
2010261993.tif 000004
と表せる。対象部品のｎ回発光後の温度Ｔｎは、一般的には、発光光量、周囲温度、昇圧直前の温度等に関係する。
発光光量ＧＮは、メインコンデンサ２２Ｄの放出電気エネルギーに比例する。すなわち、
Ｃ：メインコンデンサ２２Ｄの容量
Ｖ０：発光開始時のメインコンデンサ２２Ｄの充電電圧
Ｖ１：発光完了後のメインコンデンサ２２Ｄの充電電圧
として、
【数３】
2010261993.tif 000005
よって、
【数４】
2010261993.tif 000006
このようにして、駆動回路２２の温度上昇を算出できる。
【００２７】
一方、発光部２１およびフレネルレンズ２８の温度上昇は、フレネルレンズ２８を例にとると、
Ｔａ：周囲環境温度
Ｔｎ：フレネルレンズ２８のｎ回目発光後の温度
Ｔ（ｎ−１）ｄ：フレネルレンズ２８の（ｎ−１）回目の発光後の温度Ｔ（ｎ−１）から次回昇圧動作までの放熱後の温度
Ｔｎｒ：フレネルレンズ２８のｎ回目の発光による温度上昇
ｔ：発光間隔
として、
【数５】
2010261993.tif 000007
のように計算でき、一般式では、
【数６】
2010261993.tif 000008
と表せる。フレネルレンズ２８のｎ回発光後の温度Ｔｎは、一般的には、発光光量、周囲温度、発光直前の温度、フレネルレンズ２８と発光部２１（キセノン管２１Ａ）との間隔が変化するズーム機能を有するものではその間隔、等に関係する。
よって、
【数７】
2010261993.tif 000009
なお、「ｚｏｏｍ」は、ズーム機能の作用（フレネルレンズ２８と発光部２１との間隔）に関する係数である。
【００２８】
上記演算式のプログラムは、記憶部２４に格納される。制御部２３は、記憶部２４に格納された演算式のプログラムに従って演算することで、駆動回路２２および発光部２１（フレネルレンズ２８を含む）の昇温を推測する。または、上記演算式に従って予め演算した結果をテーブルとして記憶部２４に格納しておき、制御部２３はそのテーブルから温度を読み取る構成としても良い。
【００２９】
つぎに、マスター照明装置２０Ｍおよびリモート照明装置２０Ｒの温度警告制御について、前述の図１に加えて図３〜図６を参照して説明する。図３は、マスター照明装置２０Ｍの制御部２３Ｍによる温度警告表示制御のフローチャートである。図４は、マスター照明装置２０Ｍの表示部２７における温度警告表示を示す図である。図５は、リモート照明装置２０Ｒの制御部２３Ｒによる温度警告表示制御のフローチャートである。図６は、リモート照明装置２０Ｒからマスター照明装置２０Ｍへの識別情報送信の信号を例示する図である。
【００３０】
本実施形態では、マスター照明装置２０Ｍはカメラ１０に装着され、リモート照明装置２０Ｒはカメラ１０とは離間した位置に配設されている。すなわち、リモート照明装置２０Ｒは、マスター照明装置２０Ｍから離間して位置している。
そして、マスター照明装置２０Ｍは、リモート照明装置２０Ｒの発光設定の入力およびリモート照明装置２０Ｒへの送信、リモート照明装置２０Ｒの認識、マスター照明装置２０Ｍの温度警告制御、リモート照明装置２０Ｒの温度警告制御を行う。すなわち、マスター照明装置２０Ｍは、当該マスター照明装置２０Ｍのみならずリモート照明装置２０Ｒの温度上昇をも推測し、その表示部２７にリモート照明装置２０Ｒの温度警告表示を行う。
【００３１】
まず、図３にフローチャートを示すマスター照明装置２０Ｍにおける制御部２３Ｍによる温度警告制御について説明する。
マスター照明装置２０Ｍには、はじめに、当該マスター照明装置２０Ｍが主照明であることの設定が、操作部２６Ｍを介して行われる（Ｓ０１）。これにより、当該マスター照明装置２０Ｍがリモート照明装置２０Ｒの発光指令制御および温度警告制御を行うように設定される。
ついで、発光モード、発光光量、ズーム位置等の発光設定が、操作部２６Ｍを介して入力される（Ｓ０２）。ここでは、マスター照明装置２０Ｍとリモート照明装置２０Ｒの双方の発光設定が入力される。
【００３２】
発光設定が入力されると、入力されたリモート照明装置２０Ｒの発光設定を、発光部２１Ｍの通信発光によりリモート照明装置２０Ｒに送信する（Ｓ０３）。この通信発光は、マスター照明装置２０Ｍとリモート照明装置２０Ｒとの連繋確認のテスト発光を兼ねており、当該マスター照明装置２０Ｍまたはカメラ１０の操作によって行われる。また、送信発光は、本番撮影に先立って行われる被写体の色や反射率および距離などの情報を得るためのプリ発光を利用しても良い。
【００３３】
リモート照明装置２０Ｒから発光設定を受信した返信として通信発光で送られてくる当該リモート照明装置２０Ｒの固有の情報（識別情報）を、受光部２５Ｍが受光することで受信すると、リモート照明装置２０Ｒを識別認識する（Ｓ０４）。これによって、撮影準備が整う。
【００３４】
そして、カメラ１０のレリーズスイッチが押圧操作（ＯＮ）されると（Ｓ０５）、設定に従って発光部２１Ｍを発光（撮影発光）させる（Ｓ０６）。
撮影発光に伴って、当該マスター照明装置２０Ｍの温度Ｔｍを演算する（Ｓ０７）。そして、その演算結果を予め設定された閾値と比較し（Ｓ０８）、温度Ｔｍが設定閾値を越えていると判定された場合には、表示部２７Ｍに温度警告表示を行う（Ｓ０９）。
また、ステップ０９〜ステップ０９と並行して、リモート照明装置２０Ｒの温度Ｔｒを演算する（Ｓ１０）。そして、その演算結果を予め設定された閾値と比較し（Ｓ１１）、温度Ｔｒが設定閾値を越えていると判定された場合には、表示部２７Ｍにリモート照明装置２０Ｒの温度警告表示を行う（Ｓ１２）。
【００３５】
なお、設定閾値と比較するマスター照明装置２０Ｍの温度Ｔｍおよびリモート照明装置２０Ｒの温度Ｔｒは、発光部２１Ｍ，２１Ｒ（フレネルレンズ２８Ｍ，２８Ｒを含む）または駆動回路２２Ｍ，２２Ｒの何れか条件の厳しい方を採用する。すなわち、発光部２１Ｍ，２１Ｒ（フレネルレンズ２８Ｍ，２８Ｒを含む）および駆動回路２２Ｍ，２２Ｒのそれぞれにおいて設定閾値と比較し、何れか一方が設定閾値を越えていたら温度警告表示を行えば良い。また、温度条件の厳しい何れか一方のみを比較する構成であっても良い。
【００３６】
ここで、表示部２７Ｍにおける温度警告表示の一例を、図４に示す。図４（ａ）は、Ａ〜Ｃの３台のリモート照明装置２０Ｒを備えた場合の例である。
図４（ａ）に示す表示中、最も左側の縦列は照明装置を示し、「Ｍ」はマスター照明装置２０Ｍを、「Ａ」〜「Ｃ」はリモート照明装置２０Ｒをそれぞれ示す。以下、右側に向かって縦列毎に、詳細な説明は省略するが、発光モード、調光補正量となっている。そして、図中最も右側の温度計の図形表示が温度を示しており、この例では「Ｃ」のリモート照明装置２０Ｒに温度警告表示がなされている。
【００３７】
つぎに、図５にフローチャートを示すリモート照明装置２０Ｒにおける制御部２３Ｍによる温度警告制御について説明する。
リモート照明装置２０Ｒは、はじめに、当該リモート照明装置２０Ｒが副照明であることの設定が行われる（Ｓ２１）。これにより、当該リモート照明装置２０Ｒはマスター照明装置２０Ｍからの発光指令制御に従うように設定される。
【００３８】
ついで、マスター照明装置２０Ｍからの、連繋確認を兼ねた発光設定情報の通信発光を受光部２５Ｒが受光することで受信し、入力される（Ｓ２２）。
発光設定を受信した返信として、リモート照明装置２０Ｒの固有の情報（識別情報）を、発光部２１Ｒの通信発光によってマスター照明装置２０Ｍに送信する（Ｓ２３）。これによって、撮影準備が整う。
【００３９】
その後、マスター照明装置２０Ｍの撮影発光を受光部２５Ｒが受光すると（Ｓ２４）、設定に従って発光部２１Ｒを発光（撮影発光）させる（Ｓ２５）。
ここで、リモート照明装置２０Ｒの固有情報（識別情報）をマスター照明装置２０Ｍに送信する通信発光の一例を図６に示す。
図６は、Ａ〜Ｃの３台のリモート照明装置２０Ｒを備えた場合の例である。
マスター照明装置２０Ｍからは、発光設定が、光パルス信号として送信（通信発光）される。これを受光部２５Ｒが受光することで受信したＡ〜Ｃのリモート照明装置２０Ｒは、それぞれ定められた時間（Ｔ１〜Ｔ３）をおいて、発光部２１Ｒから光パルス信号で返信（通信発光）する。図６におけるリモート照明装置２０Ｒからの返信は、４ビットのパルス信号によってそれぞれ型式等の識別情報を送信する例である。
【００４０】
以上、本実施形態によると、以下の効果を有する。
（１）カメラ１０に装着されたマスター照明装置２０Ｍの表示部２７Ｍに、カメラ１０から離間して配置されたリモート照明装置２０Ｒの温度警告表示を行うことができる。これにより、操作者が離間したリモート照明装置２０Ｒの昇温を容易に把握することができ、撮影の失敗や昇温に係る機器の不具合を未然に防ぐことが可能となる。
（２）温度センサ等を新たに備える必要が無く、簡単な構成で低コストに構成できる。
【００４１】
（第２実施形態）
つぎに、図７および図８を参照して本発明における第２実施形態を説明する。
図７は、マスター照明装置２０Ｍにおける制御部２３Ｍによる温度警告制御のフローチャートである。図８は、リモート照明装置２０Ｒにおける制御部２３Ｒによる温度警告制御のフローチャートである。
【００４２】
前述した第１実施形態とは、マスター照明装置２０Ｍおよびリモート照明装置２０Ｒにおける温度警告制御が異なる。システムの全体構成および照明装置の構成は、前述した第１実施形態と全く同様であるため、説明は省略する。
第２実施形態における温度警告制御は、リモート照明装置２０Ｒの昇温推測をリモート照明装置２０Ｒが自ら行って、その推測情報をマスター照明装置２０Ｍに送信する。温度警告表示は、マスター照明装置２０Ｍの表示部２７Ｍにおいて行う。
【００４３】
まず、図７にフローチャートを示すマスター照明装置２０Ｍにおける制御部２３Ｍによる温度警告制御について説明する。
マスター照明装置２０Ｍには、はじめに、当該マスター照明装置２０Ｍが主照明であることの設定が、操作部２６Ｍを介して行われる（Ｓ３１）。これにより、当該マスター照明装置２０Ｍがリモート照明装置２０Ｒの発光指令制御および温度警告制御を行うように設定される。
ついで、発光モード、発光光量、ズーム位置等の発光設定が、操作部２６Ｍを介して入力される（Ｓ３２）。ここでは、マスター照明装置２０Ｍとリモート照明装置２０Ｒの双方の発光設定が入力される。
【００４４】
発光設定が入力されると、入力されたリモート照明装置２０Ｒの発光設定を、発光部２１Ｍの通信発光によりリモート照明装置２０Ｒに送信する（Ｓ３３）。この通信発光は、マスター照明装置２０Ｍとリモート照明装置２０Ｒとの連繋確認のテスト発光を兼ねており、当該マスター照明装置２０Ｍまたはカメラ１０の操作によって行われる。
【００４５】
リモート照明装置２０Ｒから発光設定を受信した返信として、通信発光によって送られてくる当該リモート照明装置２０Ｒの固有の情報（識別情報）を、受光部２５Ｍが受光することで受信すると、リモート照明装置２０Ｒを識別認識する（Ｓ３４）。これによって、撮影準備が整う。
【００４６】
そして、カメラ１０のレリーズスイッチが押圧操作（ＯＮ）されると（Ｓ３５）、設定に従って発光部２１Ｍを発光（撮影発光）させる（Ｓ３６）。
撮影発光に伴って、当該マスター照明装置２０Ｍの温度Ｔｍを演算する（Ｓ３７）。そして、その演算結果を予め設定された閾値と比較し（Ｓ３８）、温度Ｔｍが設定閾値を越えていると判定された場合には、表示部２７Ｍに温度警告表示を行う（Ｓ３９）。
また、発光後にリモート照明装置２０Ｒから送信されるリモート照明装置２０Ｒの温度Ｔｒを受信する（Ｓ４０）。そして、受信したリモート照明装置２０Ｒの温度Ｔｒを予め設定された閾値と比較し（Ｓ４１）、温度Ｔｒが設定閾値を越えていると判定された場合には、表示部２７Ｍにリモート照明装置２０Ｒの温度警告表示を行う（Ｓ４２）。
【００４７】
つぎに、図８にフローチャートを示すリモート照明装置２０Ｒにおける制御部２３Ｒによる温度警告制御について説明する。
リモート照明装置２０Ｒは、はじめに、当該リモート照明装置２０Ｒが副照明であることの設定が行われる（Ｓ５１）。これにより、当該リモート照明装置２０Ｒはマスター照明装置２０Ｍからの発光指令制御に従うように設定される。
【００４８】
ついで、マスター照明装置２０Ｍからの、連繋確認を兼ねた発光設定情報の通信発光を受光部２５Ｒが受光することで受信し、入力される（Ｓ５２）。
発光設定を受信した返信として、リモート照明装置２０Ｒの固有の情報（識別情報）を、発光部２１Ｒの通信発光によってマスター照明装置２０Ｍに送信する（Ｓ５３）。これによって、撮影準備が整う。
【００４９】
その後、マスター照明装置２０Ｍの発光（撮影発光）を受光部２５Ｒが受光すると（Ｓ５４）、設定に従って発光部２１Ｒを発光（撮影発光）させる（Ｓ５５）。
撮影発光に伴って、当該リモート照明装置２０Ｒの温度Ｔｒを演算する（Ｓ５６）。そして、演算した温度Ｔｒを、撮影発光後定められた所定時間後に、発光部２１Ｒの通信発光によってマスター照明装置２０Ｍに送信する（Ｓ５７）。
【００５０】
なお、この制御構成では、リモート照明装置２０Ｒは、演算した当該リモート照明装置２０Ｒの温度Ｔｒの情報をマスター照明装置２０Ｍに送信している。しかし、リモート照明装置２０Ｒが、温度Ｔｒを閾値と比較して温度警告表示の要否を判定するステップまで行い、温度警告表示の要否をマスター照明装置２０Ｍに送信する構成としても良い。
【００５１】
以上、本第２実施形態によっても、前述した第１実施形態と同様に、マスター照明装置２０Ｍの表示部２７Ｍに、離間して配置されたリモート照明装置２０Ｒの温度警告表示を行うことができる。これにより、操作者が離間したリモート照明装置２０Ｒの昇温を容易に把握することができ、撮影の失敗や昇温に係る機器の不具合を未然に防ぐことが可能となる。
【００５２】
（変形形態）
以上、説明した実施形態に限定されることなく、以下に示すような種々の変形や変更が可能であり、それらも本発明の範囲内である。
（１）上記実施形態では、リモート照明装置２０Ｒが、発光によって識別情報をマスター照明装置２０Ｍに送信する光通信機能を有している。しかし、本発明は通信機能を有していないリモート照明装置２０Ｒを適用することも可能である。
その場合には、マスター照明装置２０Ｍの記憶部２４に、予め既存の照明装置における温度制御に係る固有情報（昇温条件または昇温テーブル等）をデータベースとして格納しておく。そして、マスター照明装置２０Ｍに対する主照明の設定時、または、リモート照明装置２０Ｒの発光設定時に、手動操作によって設定する。すなわち、操作部２６を操作して表示部２７にリモート照明装置２０Ｒの識別コード（型式等）を表示させて設定する。これにより、設定されたリモート照明装置２０Ｒの固有情報に基づいて温度上昇を推測し、温度警告表示を行うことができる。また、新規な照明装置に対しても、記憶部２４に格納された固有情報データベースを更新することによって対応できる。このような構成によれば、既存の照明装置をリモート照明装置２０Ｒとして用いることも可能となる。
図４（ｂ）に、手動操作によってリモート照明装置２０Ｒの識別コードを設定する場合における温度警告表示の一例を示す。図中最も左側の列にリモート照明装置２０Ｒの識別コードが表示されている。また、「Ｃ」のリモート照明装置２０Ｒに温度警告表示がなされている。
【００５３】
（２）上記実施形態では、カメラ１０にいわゆる外付けで装着した照明装置をマスター照明装置２０Ｍとした例である。しかし、カメラ１０が照明装置を備えている場合には、カメラ１０が備える照明装置をマスター照明装置２０Ｍとしても良い。その場合には、先述した制御は、カメラ１０の制御部１３が担い、温度警告表示はカメラ１０の表示部１６にて行う。
【００５４】
（３）上記実施形態は、マスター照明装置２０Ｍとリモート照明装置２０Ｒとの情報交換を通信発光によって行うように構成されている。しかし、マスター照明装置２０Ｍとリモート照明装置２０Ｒとの情報交換は通信発光に限るものではなく、無線電信通信によって情報交換する構成としても良い。
【００５５】
（４）上記実施形態は、使用者の近くに位置するマスター照明装置２０Ｍの表示部２７Ｍ、または、カメラ１０の表示部１６に、離間して位置するリモート照明装置２０Ｒの情報（温度警告）を表示する。しかし、リモート照明装置２０Ｒとの情報交換の機能や表示部は、マスター照明装置２０Ｍやカメラ１０とは別体のコントローラ等に備える構成としても良い。
【００５６】
（５）上記実施形態の構成に加え、マスター照明装置２０Ｍにおける温度警告に伴って、マスター照明装置２０Ｍおよびリモート照明装置２０Ｒに掛かる熱的負荷を軽減するようにカメラ１０の撮影条件設定を可変制御するように構成しても良い。熱的負荷を軽減する撮影条件設定の可変制御は、感度設定部１２Ａによる感度の上昇、絞り１１Ａの開放等である。すなわち、温度警告が出された状態では、感度設定部１２Ａによる設定感度を上昇させ、または、絞り１１Ａを開放させる。これにより、マスター照明装置２０Ｍおよびリモート照明装置２０Ｒにおける発光量を軽減でき、その結果、温度上昇を抑制することができる。なお、このようなカメラ１０の対応制御は、カメラ１０が備える照明装置をマスター照明装置２０Ｍとした場合に限るものではない。
【００５７】
また、マスター照明装置２０Ｍにおける温度警告に伴って、マスター照明装置２０Ｍおよびリモート照明装置２０Ｒに作用する熱的負荷を軽減するように発光条件を変化させても良い。例えば、発光間隔を通常より長く設定したり、光量を落としたりすれば良い。
さらに、発光部２１が照明光の照射方向に移動制御可能なリモート照明装置２０Ｒでは、マスター照明装置２０Ｍにおける温度警告に伴い、光源（キセノン管２１Ａ）の位置を、配光角が狭くなる側に移動させる構成としても良い。その制御指令は、マスター照明装置２０Ｍにおける温度警告に伴って、マスター照明装置２０Ｍから行うように構成する。
【００５８】
（６）上記実施形態では、マスター照明装置２０Ｍの表示部２７Ｍにリモート照明装置２０Ｒの温度警告表示（温度情報）を表示している。しかし、リモート照明装置２０Ｒから送信されてマスター照明装置２０Ｍの表示部２７Ｍに表示する情報としては、温度情報に限るものではない。例えば、電池の残量等、他の物理量であっても良い。
（７）上記実施形態は、本発明を閃光照明装置に適用した例である。しかし、本発明の適応対象は閃光照明装置に限らず、例えばＬＥＤ照明装置に適用しても良い。
【００５９】
なお、実施形態及び変形形態は、適宜組み合わせて用いることもできるが、詳細な説明は省略する。また、本発明は以上説明した実施形態によって限定されることはない。
【符号の説明】
【００６０】
１：撮像システム、１０：カメラ１０、１１：撮影レンズ。１１Ａ：絞り、１２：撮像部、１２Ａ：感度設定部、２０Ｍ：マスター照明装置、２１Ｍ：発光部、２３Ｍ：制御部、２４Ｍ：記憶部、２５Ｍ：受光部、２７Ｍ：表示部、２０Ｒ：リモート照明装置、２１Ｒ：発光部、２１Ａ：キセノン管、２５Ｒ：受光部
【図１】
2010261993.tif 000010
【図２】
2010261993.tif 000011
【図３】
2010261993.tif 000012
【図４】
2010261993.tif 000013
【図５】
2010261993.tif 000014
【図６】
2010261993.tif 000015
【図７】
2010261993.tif 000016
【図８】
2010261993.tif 000017